(57)【要約】      （修正有）【課題】老若男女誰にでも簡単に組み立てができ、移動にも無理が無く、優しさと簡便性を重視したキャスター付脚部ワンタッチバネ式三方篭盛り台を提供する。【解決手段】篭盛り台本体は、台座３に前脚１と後脚２が蝶番か又はワンタッチ(A)バネ式部品等にて取付けてあり、さらに台座上部には前支柱４と後支柱４aにて形成されている。台座３の裏側には支柱４と４aを止めるための三柱受け凹部品がそれぞれに取付けられ、支柱固定の役割をしている。三脚の裏にはそれぞれ移動用キャスターが取付けてあり、後脚はストッパー付きキャスターとなっている。また台座・脚は木製及び合板製で有るが、圧縮された集成材、紙類若しくは竹製やプラスチック製とする。更にキャスター及びワンタッチバネ式部品の材質は金属製及びプラスチック製とする。ただし、キャスターについては木製、竹製等も含まれる。【選択図】図１
0003101551.tif 000002
【実用新案登録請求の範囲】
【請求項１】
三脚を台座と一体化を計るため、折り畳み式に形成した。更に脚の裏側に移動用キャスターを設けたことを特徴とするキャスター付脚部ワンタッチバネ式三方篭盛り台。
【考案の詳細な説明】
【技術分野】
【０００１】
本考案はキャスター付脚部三方篭盛り台。より詳しくは初盆及び仏事や慶事等に供物・供花・花輪・写真・祝辞・トロフィー・光ファイバー・電飾回転マリン灯・電飾回転灯・3Dレーザークリスタル・造花・電飾品等を載置して、飾るために使用される儀式用飾り台である。
【背景技術】
【０００２】
従来より、供物等をお供えする際に、その見栄えを良くする為に、篭盛り台が使用されている。
【考案の開示】
【考案が解決しようとする課題】
【０００３】
従来の篭盛り台は、簡便性に乏しく組み立てが複雑であり、お供え後の移動も不便である。更に移動時に転倒することも有り篭盛り台及びお供物が破損し、また篭盛り台転倒により他の物等を破損、傷等に及ぶことも多々有り、また人身にも危害を加える可能性も充分に考えられる。考案者は如何に簡単な方法で組み立てができて、尚更安全で移動や畳み込みが容易にできる篭盛り台を提供することを目的とする。
【課題を解決するための手段】
【０００４】
本考案者は、上記の目的を達成するために、脚底部にキャスターを取り付け、移動しやすくした。更に複雑な組み立てを容易にし、脚部をより簡単にする為、台座に蝶番か、又はワンタッチ(A)バネ式部品を取り付けることにより、台座と脚を一体化したことを特徴とする。
【考案の効果】
【０００５】
本考案によって以下の効果を奏することができる。
【０００６】
脚部の一体化が容易となり、部品の欠品・破損も少なく、組み立てが容易である。
【０００７】
組み立ての作業が速やかになり、無駄な時間と労費が減少する。
【０００８】
移動も簡単になり、商品及び供用物額の落下も少なく安全である。
【０００９】
脚部の管理が容易で簡便性に優れている。
【００１０】
片付けが容易である。
【考案を実施するための最良の形態】
【００１１】
本考案においては、蝶番やワンタッチ(A)バネ式部品等を設けることにより、組み立てが簡単であると同時に収納もより簡単にできる。更に移動も簡単で破損等の危険度が少なく機能性に優れている。
【実施例】
【００１２】
図1は本考案のキャスター付脚部ワンタッチバネ式三方篭盛り台を示す右側面図、図2・3は脚部の畳み込んだ底面図と脚部を組み立てた正面図である。
【００１３】
図4は台座と脚を取り付けた部分図である。脚の上部に蝶番の片方が止められ、蝶番のもう片方が台座に止められ、台座と脚の一体化を示す図である。
【００１４】
図4において、脚の上部と台座の接面の中心に支柱を固定する穴が有る。更に台座と脚の接面を容易にする為磁石を取り付けた状態を示す図である。
【００１５】
図4において、脚の下部底面にキャスターの取り付けを示す図である。
【００１６】
図1において、前脚1と支柱4とは、それぞれ台座3を点として凸凹を用し固定された状態を示す図である。
【００１７】
図1において、後脚2と長支柱4ａとは、台座3を点として凸凹を用し固定された状態を示す図である。
【００１８】
図1において、前脚1・後脚2の下部底面に、移動用キャスターが取り付けて有り、篭盛り台の移動が容易にできる。
【００１９】
図1において、蝶番又はワンタッチバネ式部品6で台座と脚の一体化を示す図である。
【００２０】
図2において、台座の下面図で三脚を畳んだ状態を示す図である。
【００２１】
図3において、ワンタッチバネ式脚部を立てた状態を示す図である。
【００２２】
図5において、ワンタッチバネ式脚部の取り付けを示した図である。
【００２３】
図6において、台座とワンタッチバネ式部品の取り付け内部に、三柱凸部を固定する凹部を取り付けた状態を示す図である。
【００２４】
図7において、ワンタッチバネ式部品を脚に取り付けた状態を示す図である。
【００２５】
図7aにおいて、ワンタッチバネ式脚部の作動状態を示す図である。
【００２６】
図8において、ワンタッチ部品の解体を示した図である。
【００２７】
図1の１〜６迄の脚部組み立てが完了したら、供用物入り額部7を篭盛り台本体の上面に載置する。
【産業上の利用可能性】
【００２８】
本考案はキャスター付脚部三方篭盛り台。より詳しくは初盆及び仏事や慶事等に供物・供花・花輪・写真・祝辞・トロフィー・光ファイバー・電飾回転マリン灯・電飾回転灯・3Dレーザークリスタル・造花・電飾品等を載置して、飾るために使用される儀式用飾り台である。
【図面の簡単な説明】
【００２９】
【図１】本考案の一実施例であるキャスター付脚部ワンタッチバネ式三方篭盛り台右側面図である。
【図２】図1を下部よりの下面図で、三脚を畳み込んだ図である。
【図３】台座と三脚の正面図で、三脚を立てた図である。
【図４】台座と脚を蝶番によって取付けられたワンタッチ(B)蝶番使用部分図である。
【図５】台座と脚をワンタッチ(A)バネ式脚取付け部品図である。
【図６】台座側断面図と部分脚部台座裏面図及び三支柱受け凹部部品図である。
【図７】ワンタッチバネ式部品を脚に取付けたワンタッチバネ式部品脚取付図である。
【図７ａ】ワンタッチ(A)バネ式脚部品図である。A−１は脚を立てた図であり、A−２は脚を動かしてる図であり、A−３は脚を畳んだ図である。
【図８】ワンタッチ(A)バネ式部品図である。(イ)は脚部取付け部品(バネ式)図であり、(ロ)は脚部取付け部品受け部品図であり、(ハ)はワンタッチ部品図である。
【符号の説明】
【００３０】
１  前脚
２  後脚
３  台座
４  前支柱
４a  後支柱
５  キャスター
６  蝶番及びワンタッチバネ式部品
【図１】
0003101551.tif 000003
【図２】
0003101551.tif 000004
【図３】
0003101551.tif 000005
【図４】
0003101551.tif 000006
【図５】
0003101551.tif 000007
【図６】
0003101551.tif 000008
【図７】
0003101551.tif 000009
【図７ａ】
0003101551.tif 000010
【図８】
0003101551.tif 000011
【手続補正書】
【提出日】平成15年12月4日(2003.12.4)
【手続補正１】
【補正対象書類名】実用新案登録請求の範囲
【補正対象項目名】全文
【補正方法】変更
【補正の内容】
【実用新案登録請求の範囲】
【請求項１】
三脚を台座と一体化を計るため、前記三脚を折り畳み可能にするとともに、前記三脚の裏側に移動用キャスターを設けたことを特徴とするキャスター付脚部ワンタッチバネ式三方篭盛り台。